(57)【特許請求の範囲】
【請求項１】
上面が開放された保水容器と、
この保水容器を運搬するための把手と、
前記保水容器の底面に設けられ、外部から保水容器の内部へ水を流入させ、保水容器の内部から外部への水の流出を阻止する底板と、
前記底板上に配設され、前記底板を介して流入した水を吸収する吸水体と、
前記吸水体上に配設され、前記吸水体を前記底板に押圧して圧縮する押圧板と、
前記把手に装着された操作レバーと、
前記操作レバーの操作に基づいて前記押圧板を駆動し、前記吸水体を圧縮するリンク機構と、を具備することを特徴とする吸水装置。
【請求項２】
前記把手は、前記保水容器の両側面から立設された一対の板状の起立部と、この起立部の上端部に横架された把持部とを備える請求項１に記載の吸水装置。
【請求項３】
前記リンク機構は、前記把持部から起立部間に設けられた支柱と、前記押圧板上に立設され、前記支柱に沿って上下動するスライダと、一端が前記スライダに軸支される連接棒と、一端が前記連接棒の他端に軸支され、中点が前記支柱に軸支されるクランクとを備え、前記クランクの他端側を前記操作レバーとして用い、この操作レバーを前記支柱に軸支されている節点を回転軸として回動操作することで、前記吸水体を圧縮する方向に前記押圧板を駆動する請求項２に記載の吸水装置。
【請求項４】
前記操作レバーとして働く、前記クランクの前記支柱に軸支されている節点から他端までの距離は、前記クランクの前記連接棒に軸支されている節点から前記支柱に軸支されている節点までの距離より大きい請求項３に記載の吸水装置。
【請求項５】
前記保水容器は、底面に矩形状の開口部を有する箱状であり、この開口部に前記底板を装着する取り付け枠を備える請求項１乃至４いずれか１項に記載の吸水装置。
【請求項６】
箱状の前記保水容器は、前方の側板が所定の傾斜角を有し、排水時に前記保水容器を前方に傾け、この前方の側板に沿って前記吸水体に吸水した水を排出する請求項５に記載の吸水装置。
【請求項７】
前記底板は、縦横に開口が配列された第１の板状部材と、この第１の板状部材より小さい開口が縦横に配列された第２の板状部材と、前記第１、第２の板状部材間に狭持される板状またはシート状の弾性部材とを備え、前記第１の板状部材は前記保水容器の内側に配置され、前記第２の板状部材は前記保水容器の外側に配置され、前記弾性部材は前記第１の板状部材の各開口部に対応する位置に放射状の複数の切り込み部を有し、前記切り込み部が前記第１の板状部材の開口内で広がるように変形することで外部から保水容器の内部へ水を流入させ、前記切り込み部が閉じることで内部から外部への水の流出を阻止する請求項１乃至６いずれか１項に記載の吸水装置。
【請求項８】
前記吸水体は、弾性を有する多孔質材である請求項１乃至７いずれか１項に記載の吸水装置。
【発明の詳細な説明】
【技術分野】
【０００１】
本発明は、例えば、学校等における運動場、競技場、その他の公共広場等において、窪み等に溜まった水を吸い取り、所定の排水場まで水を運搬して排出するための吸水装置に関するものである。
【背景技術】
【０００２】
従来、例えば、学校等における運動場、競技場、その他の公共広場等において、窪み等に水が溜まっているときは、所定のスポンジを用いてこれを吸い取っていた。例えば、バケツ半分の量である約１０リットルの水を吸水できる縦・横・高さがそれぞれ４０ｃｍ・４０ｃｍ・１０ｃｍ程度の直方体形状のスポンジを水の中に入れ、スポンジが水を充分に吸い取ってから排水場までスポンジを運搬し、そこでスポンジを搾って水を排出していたのである。
【０００３】
しかしながら、このような水の吸水及び排出方式では、水を吸っているスポンジを手に持って運搬するため、作業者の手や身体を汚し易かった。特に、大きめのスポンジを抱えて運搬していると、スポンジに含まれている水がスポンジの外に流れ出し、作業者がずぶ濡れになってしまう事態が生じていた。
【０００４】
また、スポンジの運搬中に、スポンジの外にだらだらと水が流れ出るため、排水場にたどり着くまでに大量の水が流れ落ちて、運動場等における水濡れ箇所を増やしてしまう弊害も生じていた。
【０００５】
しかも、バケツ半分の量である約１０リットルの水を吸ったスポンジを抱えて運搬するにはかなりの労力を要し、排水作業の効率が非常に悪かった。
【０００６】
そこで、本発明者は、特許文献１として、作業者の手や身体を汚すことなく水溜まりの水を容易に吸い取って排出できると共に、運搬に際し、水が漏れ出して周囲を濡らすことがなく、排水作業の効率を飛躍的に向上できる「吸水装置」を提案した。
【０００７】
この吸水装置は、箱状に形成された水漏れ防止用のケース体と、箱状に形成されてケース体内への収容及び取り出しが自在で、複数の孔を備えた吸排水用の桶体とから成り、桶体は、桶体内に収容される吸水体と、吸水体を押し潰す押圧体を備えている。そして、押圧体で吸水体を押し潰し、吸水体が元の形状に復元するときに水を吸収させることで、大量の水を勢いよく吸い上げることができる。また、排水の際には、排水場まで運搬して再び押圧体で吸水体を押し潰して即座に搾水できる。これによって、吸水及び排水作業の回数を削減して効率を飛躍的に向上できる。
【０００８】
また、他の例として、例えば、特許文献２として、滞留している水を効率よく吸収し、吸収した水を簡単に搾水する「除水具」が提案されている。この除水具は、天板の上面に把手を取り付け、この天板の一方端辺に複数の袋体を形成している網状布を複数個つなぎ、この袋体の各々の中に吸水体を挿入している。
【０００９】
このような構成の除水具では、吸水体を滞留水の中に入れる際、横に並べて置くことができるので広範囲に点在する滞留水を吸収し易く、また、滞留水を吸収した吸水体を折り畳むように重ねて把手を押さえることによって搾水することができる。しかも、この除水具は、容器の中に収納して簡単に持ち運びすることができ、滞留水を吸収した吸水体は容器の上に引っ繰り返してのせた複数の穴を有する蓋の上から吸水体を折り畳むように重ね、把手を上から押さえることによって、吸収した滞留水を容器の中に搾水できる。
【００１０】
さらに、特許文献３として、吸水ローラーを用いる「ローラー除水具」が記載されている。この「ローラー除水具」は、滞留水の量が少なく点在している場合には、握り棒を持ち、押していくか引っ張りながら滞留水の中を移動させることで吸収して保水させ、別の滞留水の場所に移動して行く間に、保水していた水が滞留水のない乾いた地面に徐々に流れ出て自然に蒸発することを利用している。また、滞留水の量が多い場合は、握り棒を地面に強く押さえながら滞留水の中を回転させて吸水ローラーの保水ユニットに水を吸収させ、吸水ローラーで側溝まで押し流して除水するか、滞留水のない別の広い地面に水を押し流して自然に蒸発させている。
【先行技術文献】
【特許文献】
【００１１】
【特許文献１】特許第３７９６２３１号公報
【特許文献２】特開２００６−２７４６１５号公報
【特許文献３】特開２００６−３２８８３２号公報
【発明の概要】
【発明が解決しようとする課題】
【００１２】
しかしながら、上記した特許文献１の吸水装置では、押圧体を操作グリップで直接的に押し下げて吸水体を圧縮して押し潰すので、力の弱い子供や老人、女性では作業が負担になる。特に、保水力の高い吸水体を用いると、通常、吸水体の弾性率も高くなるので圧縮する際に大きな力が必要になる。
【００１３】
また、吸水時には、操作用グリップを回動操作して桶体を揺動させてケース体から取り出し、押圧用把持部を押し下げて吸水体を押し潰して吸水した後、吸水体を収容した桶体を揺動させてケース体に収容する操作が必要になる。同様に、排水時には、操作用グリップを回動操作して桶体を揺動させてケース体から取り出し、押圧把持部を押し下げて吸水体を押し潰して排水し、吸水体を収容した桶体を揺動させてケース体に収容する操作が必要になる。
【００１４】
このため、吸水及び排水作業の回数が増えるにしたがって作業者の労力が大幅に増加する。よって、子供や老人、女性でも利用しやすいように労力を軽減でき、且つ操作も簡単な構造への改良が望まれている。
【００１５】
一方、特許文献２に開示されている除水具では、広範囲にわたって吸水できるものの、吸水体の自然吸引力に任せて水を吸収するため、吸水体の水の保持能力（保水能力）の限界まで素早く水を吸収させることができない。このため、吸引及び搾水作業の回数が多くなる。
【００１６】
さらに、特許文献３に開示されているローラー除水具では、広範囲に点在する滞留水を比較的小さな労力で除水できるが、ローラーで水を押し流したり、押し広げて分散させたりして自然乾燥させるため、水はけの悪い土地では逆にぬかるみになってしまう。
【００１７】
そこで、本発明は叙上のような従来存した諸事情に鑑み創出されたもので、比較的小さい労力で吸水及び排水作業ができ、且つ吸水と排水の操作を簡単化することにより、排水効率の向上と作業時間の短縮を図れる吸水装置を提供することを目的とする。
【課題を解決するための手段】
【００１８】
本発明に係る吸水装置は、上面が開放された保水容器と、この保水容器を運搬するための把手と、前記保水容器の底面に設けられ、外部から保水容器の内部へ水を流入させ、保水容器の内部から外部への水の流出を阻止する底板と、前記底板上に配設され、前記底板を介して流入した水を吸収する吸水体と、前記吸水体上に配設され、前記吸水体を前記底板に押圧して圧縮する押圧板と、前記把手に装着された操作レバーと、前記操作レバーの操作に基づいて前記押圧板を駆動し、前記吸水体を圧縮するリンク機構と、を具備することで、上述した課題を解決した。
【００１９】
また、前記把手は、前記保水容器の両側面から立設された一対の板状の起立部と、この起立部の上端部に横架された把持部とを備えることで、同じく上述した課題を解決した。
【００２０】
加えて、前記リンク機構は、前記把持部から起立部間に設けられた支柱と、前記押圧板上に立設され、前記支柱に沿って上下動するスライダと、一端が前記スライダに軸支される連接棒と、一端が前記連接棒の他端に軸支され、中点が前記支柱に軸支されるクランクとを備え、前記クランクの他端側を操作レバーとして用い、この操作レバーを前記支柱に軸支されている節点を回転軸として回動操作することで、前記吸水体を圧縮する方向に前記押圧板を駆動することで、同じく上述した課題を解決した。
【００２１】
また、前記操作レバーとして働く、前記クランクの前記支柱に軸支されている節点から他端までの距離は、前記クランクの前記連接棒に軸支されている節点から前記支柱に軸支されている節点までの距離より大きいことで、同じく上述した課題を解決した。
【００２２】
さらに、前記保水容器は、底面に矩形状の開口部を有する箱状であり、この開口部に前記底板を装着する取り付け枠を備えることで、同じく上述した課題を解決した。
【００２３】
この他、箱状の前記保水容器は、前方の側板が所定の傾斜角を有し、排水時に前記保水容器を前方に傾け、この前方の側板に沿って前記吸水体に吸水した水を排出することで、同じく上述した課題を解決した。
【００２４】
また、前記底板は、縦横に開口が配列された第１の板状部材と、この第１の板状部材より小さい開口が縦横に配列された第２の板状部材と、前記第１、第２の板状部材間に狭持される板状またはシート状の弾性部材とを備え、前記第１の板状部材は前記保水容器の内側に配置され、前記第２の板状部材は前記保水容器の外側に配置され、前記弾性部材は前記第１の板状部材の各開口部に対応する位置に放射状の複数の切り込み部を有し、前記切り込み部が前記第１の板状部材の開口内で広がるように変形することで外部から保水容器の内部へ水を流入させ、前記切り込み部が閉じることで内部から外部への水の流出を阻止することで、同じく上述した課題を解決した。
【００２５】
さらに、前記吸水体は、弾性を有する多孔質材であることで、同じく上述した課題を解決した。
【発明の効果】
【００２６】
上記のような構成によれば、操作レバーの操作に基づいて、リンク機構を介して押圧板を駆動して吸水体を圧縮するので、比較的小さい力でも吸水及び排水作業ができる。従って、力の弱い子供や老人、女性でも容易に作業でき、作業者の労力を大幅に軽減できる。
【００２７】
また、吸水作業と排水作業に際して、操作レバーをそれぞれ１回操作すれば済むので、誰もが簡単な操作により確実に水を吸収し、搾水できるため、水溜まりの排水作業の効率を飛躍的に向上させることができる。
【００２８】
しかも、底板は、保水容器の内部から外部への水の流出を阻止するので、水が流れ落ちることなく排水場まで運搬できる。そのため、作業者の手や身体を汚すことがなく、吸水体に保持されている水が外に流れ出し、作業者の服が濡れてしまう事態も防止できる。また、運搬中に水が流れ落ち、運動場等における水濡れ箇所を増やすこともない。
【００２９】
従って、比較的小さい労力で吸水及び排水作業ができ、且つ吸水と排水の操作を簡単化することにより、排水効率の向上と作業時間の短縮を図れる吸水装置を提供することができる。
【図面の簡単な説明】
【００３０】
【図１】本発明に係る吸水装置の一実施の形態を示したもので、概略構成を示す斜視図である。
【図２】本発明に係る吸水装置の一実施の形態を示したもので、保水容器の底面に底板を取り付ける様子を示す斜視図である。
【図３】本発明に係る吸水装置で用いられる底板の分解図であり、（ａ）図は第１の金属板、（ｂ）図は弾性部材、（ｃ）図は第２の金属板をそれぞれ示す斜視図である。
【図４】図３に示した底板の機能について説明するためのもので、底板の一部を拡大して示しており、（ａ）図は保水容器内への水の流入を阻止する状態を示す斜視図、（ｂ）図は保水容器内への水の流入状態を示す斜視図である。
【図５】本発明に係る吸水装置の一実施の形態を示したもので、保水容器内へ吸水体を収容する様子を示す斜視図である。
【図６】本発明に係る吸水装置の一実施の形態を示したもので、保水容器へ底板を取り付け、且つ吸水体を収容した状態の斜視図である。
【図７】本発明に係る吸水装置の一実施の形態を示したもので、押圧板で吸水体を圧縮した状態を示す斜視図である。
【図８】吸水作業について説明するためのもので、（ａ）図は水面に近づけた状態の保水容器の拡大断面図、（ｂ）図は吸水している状態の保水容器の拡大断面図である。
【図９】排水作業を示す斜視図である。
【発明を実施するための形態】
【００３１】
以下に、図面を参照して本発明の一実施の形態を説明する。本発明に係る吸水装置は、運動場における窪み等に貯まった水を吸い取って、所定の排水場まで運搬し、ここで水を排出できるようにしたものである。
【００３２】
図１に示すように、この吸水装置１は、吸収した水を運搬するための保水容器２と、この保水容器２を運搬するための把手３と、吸水体を圧縮して押し潰す押圧板４と、操作レバー５によりこの押圧板４を上下動させるリンク機構６とを備えている。上記把手３は、保水容器２の左右両側面の対称位置から立設してネジ留め等により固定された一対の板状の起立部３Ａ，３Ｂと、この起立部３Ａ，３Ｂの上端部に横架されたほぼ四角柱状の把持部３Ｃとで構成される。
【００３３】
上記保水容器２は、上面が開放され、底面に矩形状の開口部２Ｃを有する箱状になっており、前方の側板２Ａが所定の傾斜角を持って傾斜し、開口部２Ｃを囲繞するように、後述する底板２０の取り付け枠２Ｂが形成されている。この保水容器２の上面には、上記押圧板４が保水容器２の底面とほぼ平行になるように配設されている。この押圧板４の上面には、中空四角柱状のスライダ８がＬ字状アングル７と複数のボルト及びナット９を用いて立設されている。
【００３４】
このスライダ８の上記起立部３Ａ，３Ｂに対向する側面にはそれぞれ、スリット８Ａ，８Ｂが形成されている。これら起立部３Ａ，３Ｂ及びスリット８Ａ，８Ｂには、横方向にボルト１０Ａが挿通されている。このボルト１０Ａのスライダ８の両側面、並びに起立部３Ａ，３Ｂの対向面にはそれぞれナット１０Ｂ，１０Ｂが装着され、起立部３Ａ，３Ｂを挟むように蝶ナット１０Ｃ，１０Ｃがねじ込まれて両側から固定されている。
【００３５】
上記スライダ８は、把持部３Ｃから起立部３Ａ，３Ｂ間に沿って設けられた四角柱状の支柱１１に嵌合されており、上記スリット８Ａ，８Ｂに沿って上下方向に移動可能になっている。そして、上記スライダ８の上下動に応じて押圧板４が保水容器２内を上下動する。この支柱１１は、後述するリンク機構６の節点を支えると共に、スライダ８の上下動のガイドとしても機能する。
【００３６】
上記リンク機構６は、クランク１２、連接棒１３、上記スライダ８及び上記操作レバー５等で構成される。このリンク機構６は、基本的には往復スライダクランク機構と梃子を組み合わせたものである。操作レバー５を図示矢印ＡＬ１方向に回動操作することによって、この操作レバー５に連設されているクランク１２及び連接棒１３を順次駆動し、連結部材１６を介してスライダ８を大きな力で上下方向に駆動することができる。
【００３７】
すなわち、往復スライダリンク機構に加えて、この往復スライダクランク機構の節点ＮＡを梃子の支点としても利用することになり、クランク１２の長さΔＬ１に対して操作レバーの長さΔＬ２を大きくすることで、小さな力であっても吸水体を強い力で圧縮して押し潰すことができる。
【００３８】
上記操作レバー５及びクランク１２として働くアーム部材は、起立部３Ａ，３Ｂと支柱１１を貫通して設けられたボルト１５Ａで回動自在に軸支（節点ＮＡ）されている。このボルト１５Ａのアーム部材の両側面、並びに起立部３Ａ，３Ｂの対向面にはそれぞれナット１５Ｂ，１５Ｂが装着され、起立部３Ａ，３Ｂを挟むように蝶ナット１５Ｃ，１５Ｃがねじ込まれて両側から固定されている。
【００３９】
上記アーム部材は、本例では２枚の板体１４Ａ，１４Ｂの一端にスペーサ１４Ｃを挟んで構成されており、板体１４Ａ，１４Ｂとスペーサ１４Ｃを貫通するボルトと、このボルトに装着した蝶ナットで固定している。上記アーム部材の他端は、上記連接棒１３の一端にボルトと蝶ナットによって軸支（節点ＮＢ）されており、連接棒１３の他端は連結部材１６にボルトと蝶ナットによって軸支（節点ＮＣ）されている。
【００４０】
上記連結部材１６は、上記スライダ８の上端にネジ留めされており、この連結部材１６と支柱１１との間には、この連結部材１６を斜め上方向に引き上げるためのバネ１７が張設されている。これによって、通常状態においては、操作レバー５（アーム部材）が所定の位置に固定される。また、スライダ８が上方に引き上げられることにより、押圧板４は上記保水容器２の上面開口付近で固定される。
【００４１】
図２に示すように、上記保水容器２の底面の取り付け枠２Ｂには、底板２０がボルト２１−１〜２１−４とナット２２−１〜２２−４を用いて固定される。この底板２０は、逆止弁と同様な働きをするもので、保水容器２の底部から内部へ水を流入させ、内部から外部への水の流出を阻止する。
【００４２】
底板２０は、例えば、図３に示すように、円形の開口部２０Ａが縦横に配列して設けられた第１の金属板（第１の板状部材）２０−１と、この第１の金属板２０−１より小さい円形の孔２０Ｂが縦横に配列して設けられた第２の金属板（第２の板状部材）２０−２と、これら第１、第２の金属板２０−１，２０−２間に狭持されるゴムや樹脂等からなる板状またはシート状の弾性部材２０−３とで構成される。これら第１、第２の金属板２０−１，２０−２及び弾性部材２０−３の四隅の対応する位置には、ネジ穴２３−１〜２３−４が設けられている。また、上記弾性部材２０−３には、上記第１の金属板２０−１の各開口部２０Ａに対応する位置に放射状（本例では十字形）の切り込み部２０Ｃが形成されている。
【００４３】
そして、図２に示したように、上記底板２０の第１の金属板２０−１は保水容器２の内側に配置され、上記第２の金属板２０−２は上記保水容器２の外側に配置されるように装着される。
【００４４】
このような構成の底板２０は、４カ所のナット２２−１〜２２−４を外すことで容易に分解、清掃ができるので、泥詰まり等が発生したときに容易に対応できる。また、弾性部材２０−３が劣化したときにも交換作業が容易である。すなわち、泥水の中で使ったときの点検や保守、修理がしやすい構造になっている。
【００４５】
上記底板２０は、図４（ａ）に示すように、上方向から下方向への水の通過は、切り込み部２０Ｃが閉じることで阻止され、保水容器２内に収容した水が底板２０を介して外部へ流出するのが防止される。これに対し、図４（ｂ）に示すように、下方向から上方向へは、切り込み部２０Ｃが開口部２０Ａ内で開くことで底板２０を水が通過し、保水容器２内に流入する。このようにして、底板２０は逆止弁と同様な機能をする。
【００４６】
そして、図５に示すように、上記底板２０と押圧板４との間に、スポンジ等の弾性を有する多孔質性合成樹脂材から成る吸水体２５を収容する。この吸水体２５は、例えば、バケツ半分の量である約１０リットルの水を吸水できるよう、縦・横・高さがそれぞれ４０ｃｍ・４０ｃｍ・１０ｃｍ程度の直方体形状に形成されている。尚、この吸水体２５は、圧縮したときに自然に復帰し、水を充分に吸収及び保持できるものであれば、どの様な材質及び形状のものであっても差し支えない。
【００４７】
次に、上記吸水装置１の使用方法及び動作の一例を説明する。まず、図６に示すように、保水容器２の底部に底板２０が装着され、この底板２０と押圧板４との間に吸水体２５が収容されている状態において、操作レバー５を図示矢印ＡＬ１方向に引き上げる。この操作レバー５の操作は、ボルト（節点ＮＡ）１５Ａを支点としてクランク１２に回転方向の動作として伝達され、連接棒１３を介して、連結部材１６に接続されたスライダ８が下方向に移動する。これによって、押圧板４が下方向に駆動され、吸水体２５が底板２０に押し付けられて圧縮され、図７に示したような状態となる。
【００４８】
尚、操作レバー５を矢印ＡＬ１方向に引き上げる際、クランク１２と連接棒１３との軸支部（節点ＮＢ）を図示矢印ＡＬ２方向に押し込むことで、より強い力で吸水体２５を圧縮できる。
【００４９】
その後、図７に示した状態の吸水装置を図８（ａ）に示すように、水溜まり上に持っていき、図８（ｂ）に示すように保水容器２の底面を水溜まり内に漬ける。この状態で操作レバー５の手を離すと、吸水体２５が元の形に戻りながら水を吸い込むため、水溜まりの水が底板２０の十字形の切り込み部２０Ｃを通って勢い良く吸水体２５に吸収され、保持される。
【００５０】
このように、吸水体２５を圧縮して押し潰し、元の形に復元する際に水を吸収させることにより、自然に吸収させる場合に比べて大量の水を勢い良く吸い上げることが可能となる。しかも、吸水の際に吸水装置１を水溜まりに強く押しつける必要がないので、ぬかるみでも使用できる。
【００５１】
吸水終了後は、把持部３Ｃを持って吸水装置１を所定の排水場まで運搬する。この際、上記底板２０から水が流出することはないので、作業者の手や身体を汚したり、作業者がずぶ濡れになってしまったりすることはない。もちろん、運動場等における水濡れ箇所を増やしてしまうこともない。
【００５２】
そして、排水場に到着したときは、図９に示すように操作レバー５を矢印ＡＬ１方向に回動させて吸水体２５を押圧板４により上方から圧縮して押し潰しつつ、保水容器２を前方に傾ける。すると、吸水体２５に保持されている水が保水容器２から前方の側板２Ａを介して外に流れ出し、所定の排水場に排出される。この際、操作レバー５の回動だけでなく、クランク１２と連接棒１３の軸支部（節点ＮＢ）を矢印ＡＬ２方向に押すことで、吸水体２５をより強い力で圧縮できる。
【００５３】
上記のような構成によれば、操作レバー５の操作に基づいて、リンク機構６を介して押圧板４を駆動して吸水体２５を圧縮するので、比較的小さい力で吸水及び排水作業ができる。従って、力の弱い子供や老人、女性でも容易に作業できる。
【００５４】
また、吸水作業と排水作業に際しては、それぞれ１回の操作レバー５の回動操作で済むので、誰もが簡単な操作により確実に水を吸収及び排出できるため、水溜まりの排水作業の効率を飛躍的に向上させ、作業時間の短縮を図ることができる。
【００５５】
しかも、保水容器２の内部から外部への水の流出を底板２０で阻止するので、運搬中に水が流れ落ちることなく、排水場まで容易に運ぶことができる。そのため、作業者の手や身体を汚すことがなく、吸水体に保持されている水が外に流れ出し、作業者の服が濡れてしまう事態も防止できる。また、運搬中に水が流れ落ち、運動場等における水濡れ箇所を増やすこともない。
【００５６】
従って、比較的小さい力で吸水及び排水作業ができ、且つ吸水と排水の操作を簡単化することにより、排水効率の向上と作業時間の短縮を図れ、作業者の労力を軽減できる吸水装置を提供することができる。
【００５７】
尚、上記実施の形態では、リンク機構６を往復スライダクランク機構と梃子を組み合わせた構成にしたが、押圧板４で吸水体２５を圧縮でき、吸水体２５の弾性力で元の形に復元できる機構であれば他の構成であっても同様に適用できる。例えば、操作レバー５を下方に回動させることにより、吸水体２５を押圧板４により上方から圧縮して押し潰す構成を採用しても良い。
【００５８】
また、底板２０も図３に示した構成に限定されるものではなく、外部から保水容器２の内部へ水を流入させ、保水容器２の内部から外部への水の流出を阻止することができれば他の構成であっても良い。さらに、底板２０を構成する第１、第２の板状部材として金属板２０−１，２０−２を用いる例を説明したが、金属以外の部材を用いることもできる。
【００５９】
さらに、保水容器２が前方の側板２Ａが所定の傾斜角を有する箱状の場合を例に取って説明したが、保水容器２を傾けて排水できれば、円筒形状や他の種々の形状の保水容器でも同様な吸水装置を構成できる。
【００６０】
以上、一実施の形態を用いて本発明の説明を行ったが、本発明は上記実施の形態に限定されるものではなく、実施段階ではその要旨を逸脱しない範囲で種々に変形することが可能である。また、上記実施の形態には種々の段階の発明が含まれており、開示される複数の構成要件の適宜な組み合わせにより種々の発明が抽出され得る。例えば実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【産業上の利用可能性】
【００６１】
本発明の吸水装置は、学校等における運動場、競技場、その他の公共広場等において、窪み等に溜まった水を吸い取り、所定の排水場まで水を運搬して排出するのに利用でき、産業上有用である。
【符号の説明】
【００６２】
１…吸水装置
２…保水容器
２Ａ…側板
２Ｂ…取り付け枠
２Ｃ…開口部
３…把手
３Ａ、３Ｂ…起立部
３Ｃ…把持部
４…押圧板
５…操作レバー
６…リンク機構
７…Ｌ字状アングル
８…スライダ
８Ａ，８Ｂ…スリット
９…ボルト及びナット
１０Ａ…ボルト
１０Ｂ…ナット
１０Ｃ…蝶ナット
１１…支柱
１２…クランク
１３…連接棒
１４Ａ，１４Ｂ…板体
１４Ｃ…スペーサ
１５Ａ…ボルト
１５Ｂ…ナット
１５Ｃ…蝶ナット
１６…連結部材
１７…バネ
２０…底板
２０Ａ…開口部
２０Ｂ…孔
２０Ｃ…切り込み部
２０−１…第１の金属板（第１の板状部材）
２０−２…第２の金属板（第２の板状部材）
２０−３…弾性部材
２１−１〜２１−４…ボルト
２２−１〜２２−４…ナット
２３−１〜２３−４…ネジ穴
２５…吸水体
ＮＡ，ＮＢ，ＮＣ…節点
【図１】
0005355642.tif 000002
【図２】
0005355642.tif 000003
【図３】
0005355642.tif 000004
【図４】
0005355642.tif 000005
【図５】
0005355642.tif 000006
【図６】
0005355642.tif 000007
【図７】
0005355642.tif 000008
【図８】
0005355642.tif 000009
【図９】
0005355642.tif 000010